(57)【要約】【課題】ほのかな香りが継続的に安定して発せられる香り付きティシュペーパー製品を提供する。【解決手段】  紙箱１０の前記上面の内側面１１ｉにスリットを有するシート材３０を貼付した収納箱と、この収納箱内に収納されたティシュペーパー束２と、を有するティシュペーパー製品であり、そのシート材３０が、ガス透過性を有する内側樹脂製フィルム層とガスバリア性を有する外側樹脂製フィルム層とこれらの間に介在して両フィルムを接着する香料を含む粘着剤層又は接着剤層とを有する、香り付きティシュペーパー製品により解決される。【選択図】図５
2014005075.tif 000002
【特許請求の範囲】
【請求項１】
上面に取出し口形成用の環状の裂開用ミシン目線が形成された紙箱の前記上面の内側面に、スリットを設けたシート材を、そのスリットが前記裂開用ミシン目線で囲まれる範囲内に位置するようにして貼付した収納箱と、この収納箱内に収納されたティシュペーパーが折り畳み積層されたティシュペーパー束と、を有するティシュペーパー製品であって、
前記シート材が、内側樹脂製フィルム層と外側樹脂製フィルム層とこれらの間に介在して両フィルムを接着する粘着剤層又は接着剤層とを有し、その粘着剤層又は接着剤層に香料が含有されているとともに、前記内側樹脂製フィルム層が前記外側樹脂製フィルム層よりもガスの透過性が高いものとされ、かつ、前記内側樹脂製フィルム層が収納箱内に収納された前記ティシュペーパー束に対面し、前記外側樹脂製フィルム層が収納箱内面に対面するようにして、収納箱に貼付されている、ことを特徴とする香り付きティシュペーパー製品。
【請求項２】
前記内側樹脂製フィルムは、酸素の透過度が７００ｃｃ／ｍ2・２４ｈ／ａｔｍ以上、炭酸ガスの透過度が４０００ｃｃ／ｍ2・２４ｈ／ａｔｍ以上であり、前記外側樹脂製フィルムは、酸素の透過度が２００ｃｃ／ｍ2・２４ｈ／ａｔｍ未満、炭酸ガスの透過度が９００ｃｃ／ｍ2・２４ｈ／ａｔｍ未満である請求項１記載の香り付きティシュペーパー。
【請求項３】
前記外側樹脂製フィルム層が、ポリエチレンテレフタレートフィルム、ポリ塩化ビニリデンフィルムである請求項１又は２記載の香り付きティシュペーパー製品。
【請求項４】
前記内側樹脂製フィルム層が、ポリエチレンフィルム、ポリスチレンフィルム、ポリプロピレンフィルム、ポリカーボネートフィルムである請求項１〜３の何れか１項に記載の香り付きティシュペーパー製品。
【請求項５】
前記外側樹脂製フィルム層の厚みが５〜３０μｍ、内側樹脂製フィルム層の厚みが１０〜１００μｍ、粘着剤層又は接着剤層の厚みが５〜８０μｍである請求項１〜４の何れか１項に記載の香り付きティシュペーパー製品。
【発明の詳細な説明】
【技術分野】
【０００１】
本発明は、ティシュペーパー製品、特に香りを発する香り付きのティシュペーパー製品に関する。
【背景技術】
【０００２】
複数枚のティシュペーパーからなる束が収納箱内に収納され、その収納箱（カートン箱或いはカートンとも称される）の上面に設けられた取出し口からティシュペーパーを順次一枚ずつ（一組とされたものも含む）引き出して使用するティシュペーパー製品はよく知られる。その取り出し方法は、一枚を取り出すとそれに連続して次ぎの一枚が取出し口から引き出されるポップアップ式となっている。
【０００３】
このティシュペーパー製品の中には、香りを発するようにした製品があり、消費者に受け入れられている。この香り付きのティシュペーパー製品は、一時的に強い香りがするものより、継続的にほのかに香るものを消費者が好む傾向にあり、よって香り付きティシュペーパー製品では、製造されてから使用者がティシュペーパーを使いきるまで安定して継続的にほのかに香りがすることが求められる。
【０００４】
従来の香り付きのティシュペーパー製品は、ティシュペーパー自体に香料を塗布した製品や、ティシュペーパー取り出し時にティシュペーパーと収納箱とが摺れる部分にマイクロカプセルに封入した香料を担持させ、取り出し時にマイクロカプセルが壊れて内部の香料をティシュペーパーに付着させるとともに周囲に蒸散させるようにした製品等がある。
【０００５】
しかし、前者のティシュペーパー自体に薬液を付与した製品は、当該ティシュペーパーを製造するにあたり製造設備全体に香料の香りが付着することになるため、香り付きティシュペーパーを製造する専用ラインが必要であり、製造コストが高くなるという問題がある。また、ティシュペーパーに香料成分を直接的に付与すると、収納箱内で蒸散しやすく、香料成分がカートン原紙にも吸収されてしまうために、保管期間が長期に渡る場合など、開封時には十分な香りが既に得られなくなっていることがあった。
【０００６】
一方、後者のマイクロカプセルを摺れる位置に付与した製品は、ティシュペーパーと収納箱とが摺れる位置が使用開始から使用を終えるまでさほど変化しないため、開封後の初期に香り強く使用するにつれて香りが急激に弱くなり、継続的に安定した香りの強さを発現させることが難しかった。また、マイクロカプセル内に香料を封入する煩雑な製造工程を要するうえ、その香料をマイクロカプセルに封入する際の歩留まりが低くコスト高となる問題がある。
【０００７】
このように従来の香り付きティシュペーパー製品については、製造が煩雑で製造コストが高い、ある程度保管した後の香りの発現が不十分である、ほのかな香りを継続的に安定して発することに関し十分に満足するものとはいえないという問題があり、これらの問題の改善が望まれている。
【先行技術文献】
【特許文献】
【０００８】
【特許文献１】特開２００７−２５４００５号公報
【特許文献２】特開２００７−１８２２４８号公報
【発明の概要】
【発明が解決しようとする課題】
【０００９】
そこで、本発明の主たる課題は、製造がし易く、製造コストも安く、保管期間が長くとも香りが十分に感じられ、しかも、使用開始後にほのかな香りが継続的に安定して発せられる香り付きティシュペーパー製品を提供することにある。
【課題を解決するための手段】
【００１０】
上記課題を解決した本発明は以下のとおりである。
【００１１】
〔請求項１記載の発明〕
上面に取出し口形成用の環状の裂開用ミシン目線が形成された紙箱の前記上面の内側面に、スリットを設けたシート材を、そのスリットが前記裂開用ミシン目線で囲まれる範囲内に位置するようにして貼付した収納箱と、この収納箱内に収納されたティシュペーパーが折り畳み積層されたティシュペーパー束と、を有するティシュペーパー製品であって、
前記シート材が、内側樹脂製フィルム層と外側樹脂製フィルム層とこれらの間に介在して両フィルムを接着する粘着剤層又は接着剤層とを有し、その粘着剤層又は接着剤層に香料が含有されているとともに、前記内側樹脂製フィルム層が前記外側樹脂製フィルム層よりもガスの透過性が高いものとされ、かつ、前記内側樹脂製フィルム層が収納箱内に収納された前記ティシュペーパー束に対面し、前記外側樹脂製フィルム層が収納箱内面に対面するようにして、収納箱に貼付されている、ことを特徴とする香り付きティシュペーパー製品。
【００１２】
〔請求項２記載の発明〕
前記内側樹脂製フィルムは、酸素の透過度が７００ｃｃ／ｍ2・２４ｈ／ａｔｍ以上、炭酸ガスの透過度が４０００ｃｃ／ｍ2・２４ｈ／ａｔｍ以上であり、前記外側樹脂製フィルムは、酸素の透過度が２００ｃｃ／ｍ2・２４ｈ／ａｔｍ未満、炭酸ガスの透過度が９００ｃｃ／ｍ2・２４ｈ／ａｔｍ未満である請求項１記載の香り付きティシュペーパー。
【００１３】
〔請求項３記載の発明〕
前記外側樹脂製フィルム層が、ポリエチレンテレフタレートフィルム、ポリ塩化ビニリデンフィルムである請求項１又は２記載の香り付きティシュペーパー製品。
【００１４】
〔請求項４記載の発明〕
前記内側樹脂製フィルム層が、ポリエチレンフィルム、ポリスチレンフィルム、ポリプロピレンフィルム、ポリカーボネートフィルムである請求項１〜３の何れか１項に記載の香り付きティシュペーパー製品。
【００１５】
〔請求項５記載の発明〕
前記外側樹脂製フィルム層の厚みが５〜３０μｍ、内側樹脂製フィルム層の厚みが１０〜１００μｍ、粘着剤層又は接着剤層の厚みが５〜８０μｍである請求項１〜４の何れか１項に記載の香り付きティシュペーパー製品。
【００１６】
〔作用効果〕
本発明では、シート材を、内側樹脂製フィルム層と外側樹脂製フィルム層とを香料を含む粘着剤層又は接着剤層により一体化したものとし、その内側樹脂製フィルム層が前記外側樹脂製フィルム層よりもガスの透過性が高いものとした。
【００１７】
したがって、本発明に係るシート材では、粘着剤又は接着剤に含まれる香料が揮散する際に、外側樹脂製フィルム層よりも内側樹脂製フィルム層を通して外部に放散される。
【００１８】
そして、本発明は、そのようなシート材を、前記内側樹脂製フィルムがティシュペーパー束に対面し、外側樹脂製フィルムを収納箱内面に対面する位置関係で収納箱に貼付するようにしたため、香料がティシュペーパー束に向かって拡散されるようになり、ティシュペーパーに香りが付与される。
【００１９】
また、本発明では、香料を両フィルム層を接着する粘着剤層又は接着剤層に含有するとともに、樹脂製フィルム層を通して拡散されるようにしたため、露出された状態の香料層等から香料が拡散する場合と比較して、極めて微量の香料が徐々にシート材の内側樹脂製フィルム面から拡散されるようになる。
【００２０】
したがって、本発明のティシュペーパー製品は、長期間にわたって微量の香料が収納箱内に拡散することになり、もって、保管期間が長くとも香りが十分に感じられ、しかも、使用開始後にほのかな香りが継続的に安定して発せられるものとなる。
【００２１】
また、本発明のシート材では、スリット断面には、粘着剤層又は接着剤層が露出するためスリットを通して引き出されるティシュペーパーがわずかに粘着剤層又は接着剤層と接触する機会があるため、その際に確実にティシュペーパーに香料が付着されるようにもなる。
【００２２】
さらに、本発明のティシュペーパー製品は、内側樹脂製フィルムと外側樹脂製フィルムのフィルム種の選択により、ガスの透過性を調整することができ、除放性の調整も容易に行なうことができる。
【００２３】
他方、本発明は上記のとおり微量の香料が徐々に拡散されるため香料自体の使用量を少なくすることができる。
【００２４】
また、本発明では内側樹脂製フィルム層と外側樹脂製フィルム層とを接着させる粘着剤又は接着剤に香料を含有させる。粘着剤又は接着剤は塗布・塗工などによって容易に薄く広範な薄膜に形成できる。したがって、本発明では、香料をシート材の広範にわたって確実に固定でき、しかもその使用量を低減させることができる。
【００２５】
さらに、本発明のティシュペーパー製品は、ティシュペーパー自体ではなく、シート材に香料を担持させたため、ティシュペーパー自体に香料を付与する必要がない。よって、ティシュペーパー自体に香料を付与する際の問題は解決される。
【００２６】
また、シート材に香料を塗布する設備は、ティシュペーパーの製造設備と比較すると小規模であり、製造コストは格段に低減する。
【００２７】
ここで、本発明のシート材は、前記内側樹脂製フィルムを、酸素の透過度が７００ｃｃ／ｍ2・２４ｈ／ａｔｍ以上、炭酸ガスの透過度が４０００ｃｃ／ｍ2・２４ｈ／ａｔｍ以上のものとし、前記外側樹脂製フィルムを、酸素の透過度が２００ｃｃ／ｍ2・２４ｈ／ａｔｍ未満、炭酸ガスの透過度が９００ｃｃ／ｍ2・２４ｈ／ａｔｍ未満であるものとすると、外側樹脂製フィルム層がガスバリア性を発揮するものとなるとともに、内側樹脂製フィルム層が適度なガス透過性を有するものとなり、本願発明の効果を確実なものとする。
【００２８】
また、前記外側樹脂製フィルム層は、ポリエチレンテレフタレートフィルム、ポリ塩化ビニリデンフィルムが、ガスバリア性とコスト安の面で優れるため望ましい。
【００２９】
他方、前記内側樹脂製フィルム層は、ポリエチレンフィルム、ポリスチレンフィルム、ポリプロピレンフィルム、ポリカーボネートフィルムであるのが香料の透過性とコスト安の面で優れるため望ましい。
【００３０】
また、外側樹脂製フィルム層の厚みが５〜３０μｍ、内側樹脂製フィルム層の厚みが１０〜１００μｍ、粘着剤層又は接着剤層の厚みが５〜８０μｍであると、シート材の剛性が過度に高まらず、ティシュペーパーの引き出し性とスリット縁部によるティシュペーパーの支持性とを確保しやすくなる。
【発明の効果】
【００３１】
以上のとおり、本発明によれば、製造がし易く、製造コストも安く、保管期間が長くとも使用時に香りが十分に感じられ、しかも、使用開始後に、ほのかな香りが継続的に安定して発せられる香り付きティシュペーパー製品が提供される。
【図面の簡単な説明】
【００３２】
【図１】本発明に係る衛生薄葉紙収納箱の斜視図である。
【図２】本発明に係る衛生薄葉紙収納箱の展開図の例である。
【図３】本発明に係る衛生薄葉紙収納箱の特に側短面の構成と取出し口を説明するための斜視図である。
【図４】本発明に係る衛生薄葉紙収納箱の使用時の斜視図である。
【図５】図４のＡ−Ａ断面図である。
【図６】本発明に係るシート材を説明するための箱内側から上面をみた図である。
【発明を実施するための形態】
【００３３】
次いで、本発明の実施の形態を図面を参照しながら以下に詳述する。図１〜６に、本発明に係るティシュペーパー製品１００を示す。
【００３４】
本発明に係るティシュペーパー製品１００は、複数枚のティシュペーパー２ｔ，２ｔ…が、折り畳まれ重層されてなるティシュペーパー束２が、上面１１に取出し口形成用の環状の裂開用ミシン目線２０が形成された収納箱１に収納され、使用時に当該取出し口２０Ｘからティシュペーパー２ｔを取り出すと、隣接して積層されている下層のティシュペーパーの一部が取出し口２０Ｘから露出されるように構成したものである。
【００３５】
本発明に係る収納箱１は、カートン箱とも呼ばれる直六面体形状の箱体であり、製品外観をなすものである。この収納箱１は、上面１１に取出し口２０Ｘを形成するための環状の裂開用ミシン目線２０を有する紙箱１０と、前記ミシン目線２０により囲まれる範囲２０ａを紙箱内側から覆うシート材３０とを有する。
【００３６】
紙箱１０は、収納箱１の外郭をなす概ね紙製の箱体であり、その大きさ、形状、展開形状等は既知の収納箱の紙箱の構成が採用される。一般的な収納箱の大きさは、概ね長手縁Ｌ１が１１０〜３２０ｍｍ、短手縁Ｌ２が７０〜２００ｍｍ、高さＬ３が４０〜１５０ｍｍ程度であり、本発明に係る収納箱１もこの大きさとすることができる。
【００３７】
また、紙箱１０の基材は、バージンパルプ、古紙パルプ等の各種のパルプを主原料とする既知の紙素材が採用でき、好適な紙箱１０の素材は、坪量２５０〜５００ｇ／ｍ2のコートボール紙である。
【００３８】
本実施形態の紙箱１０の構造は、図２、図３に示すように、底面１２と一方の長側面１３を糊代部１２Ａで糊付けして筒状とした後、上面１１、底面１２及びこれらを連接する長側面１３から延出する各フラップＦ，Ｆ…を箱内面側に折り返し、各フラップＦ，Ｆ…の当接部分をホットメルト接着剤等により接着して短側面１４を構成した構造となっている。なお、本発明の紙箱１０は、この構造に限定されるわけではない。
【００３９】
他方、紙箱１０の上面に形成される裂開用ミシン目線２０は環状をなし、適宜のカットタイ比で構成される。裂開用ミシン目線２０は、通常のミシン目線の他、二重ミシン目線、ジッパーミシン目線等で構成することができる。一部分のみ二重ミシン目線としてもよい。
【００４０】
本実施形態に係る裂開用ミシン目線２０は、紙箱長手方向に延在する長辺２１，２１とこの長辺２１，２１の端同士を繋ぐ短手縁に平行な短辺２２，２２とを有し、裂開用ミシン目線２０に囲まれる範囲２０ａの形状は、収納箱１の長手方向に沿う方向が長い適宜の形状である。一般的には、収納箱１の長手方向に沿うやや細長い角取り矩形、或いはその矩形の長辺２１，２１の中央部を外方に向かってやや膨張させてアーチ状とし、楕円に近い形状としたものである。図示の形態は後者の例である。
【００４１】
他方、シート材３０は、前記裂開用ミシン目線２０により囲まれる範囲２１ａより大きく、例えば、矩形や楕円形であり、紙箱上面の内面側において、特に裂開用ミシン目線２０の切り剥がしに影響がないように、裂開用ミシン目線２０の外側で図示されない接着剤によって貼付されている。このシート材３０には、スリット３１が形成されており、このスリット３１は裂開用ミシン目線２０により囲まれる範囲２０ａで長手方向に沿って位置されている。したがって、図３、図４に示すとおり、裂開用ミシン目線２０に沿ってその裂開用ミシン目線２０で囲まれる範囲２０ａを切り剥がすことにより、紙箱上面１１に取出し口２０Ｘが形成されるとともに、前記シート材３０及びそれに形成されたスリット３１が取出し口２０Ｘを介して露出される。
【００４２】
なお、前記スリット３１の長さは、適宜の長さとすることができ、既知の環状ミシン目線２０との大きさの関係で適するとされる長さが採用できる。
【００４３】
収納箱１に束として収納されているティシュペーパー２ｔ等は、図示例のとおり、前記スリット３１を介して取出し口２０Ｘから一枚ずつ取り出される。そして、当該スリット３１は、取出し口２０Ｘから露出するティシュペーパー２ｔの一部を支持して収納箱内部に落ち込むことを防止する。
【００４４】
ここで、本発明に係るシート材３０は、外側樹脂製フィルム層３０Ａと内側樹脂製フィルム層３０Ｂとこれらの間に介在する香料を含む粘着剤層又は接着剤層３０Ｍとを有しており、当該粘着剤層又は接着剤層３０Ｍによって前記外側樹脂製フィルム層３０Ａと内側樹脂製フィルム層３０Ｂとが接着されて一体化されている。
【００４５】
また、シート材３０は、前記外側樹脂製フィルム層３０Ａが収納箱の上面の内側面１１ｉに対面し、前記内側樹脂製フィルム層３０Ｂが収納箱内に収納された前記ティシュペーパー束２に対面するようにして、収納箱１０に貼付されている。
【００４６】
本発明に係るシート材３０は、特に内側樹脂製フィルム層３０Ｂのガスの透過度が、外側樹脂製フィルム層３０Ａよりも高くなっており、前記粘着剤層又は接着剤層３０Ｍに含有される香料が前記内側樹脂製フィルム層３０Ｂから透過して外部に放散されるようになっている。
【００４７】
したがって、前記外側樹脂製フィルム層３０Ａについては、特に外部への香料の放散が極力されないように、香料に対するガスバリア性が高いものを用い、内側樹脂製フィルム層３０Ｂについては適度にガス透過性を有するものを用いるのがよい。なお、内側樹脂製フィルム層３０Ｂ、外側樹脂製フィルム層３０Ａは必ずしも単層構造に限らず、積層構造であってもよい。
【００４８】
より具体的には、前記外側樹脂製フィルム３０Ａは、酸素の透過度が２００ｃｃ／ｍ2・２４ｈ／ａｔｍ未満、炭酸ガスの透過度が９００ｃｃ／ｍ2・２４ｈ／ａｔｍ未満であるものが望ましい。上記ガスの透過度であると、ティシュペーパー製品１００に使用可能な香料のほとんどに対して十分なガスバリア性を発揮する。また、前記内側樹脂製フィルム３０Ｂは、酸素の透過度が７００ｃｃ／ｍ2・２４ｈ／ａｔｍ以上、炭酸ガスの透過度が４０００ｃｃ／ｍ2・２４ｈ／ａｔｍ以上であるものが望ましい。上記ガスの透過度を有するものであれば、香料を適度に透過させて本発明の効果を確実に発揮させることができる。
【００４９】
なお、本発明に係るシート材３０は、内側樹脂製フィルム層３０Ｂを構成するフィルムの選択により、内側樹脂製フィルム層３０Ｂを透過する香料の量等を調整し、適宜の徐放性を発揮させることもでき、そのようにしてもよい。
【００５０】
ここで、ティシュペーパー製品１００のシート材３０に使用可能な主なフィルム素材の例と透過度を下記表１に示す。
【００５１】
【表１】
2014005075.tif 000003
【００５２】
表１に示すようにシート材３０の前記外側樹脂製フィルム層３０Ａとしては、ポリエチレンテレフタレートフィルム、ポリ塩化ビニリデンフィルムが好適であり、内側樹脂製フィルム層３０Ｂとしては、ポリエチレンフィルム、ポリスチレンフィルム、ポリプロピレンフィルム、ポリカーボネートフィルムが好適である。
【００５３】
特に、外側樹脂製フィルム層３０Ａと内側樹脂製フィルム層３０Ｂとの好適な具体的なフィルム種の組み合わせは、内側樹脂製フィルム層３０Ｂが、ポリエチレンフィルム、外側樹脂フィルム層３０Ａがポリエチレンテレフタレートフィルムの組み合わせである。この組み合わせは、ポリエチレンが適度なガスの透過性を有し、ポリエチレンテレフタレートが十分なガスバリア性を有し、しかも各層のガスの透過性の差が大きく、確実に内側樹脂製フィルム層から香料を放散させることができる。さらに、ポリエチレンフィルム、ポリエチレンテレフタレートフィルムともに安価であり、また、ティシュペーパー製品１００のシート材３０に必要とされるティシュペーパー２ｔの支持性、引き出し性を十分に確保できる。
【００５４】
他方、本発明に係るシート材３０の厚みは、２０〜２１０μｍが適し、２０μｍ未満では、強度的に不足し、ティシュペーパー２ｔの取り出し時において裂けあるいは破断の確率が高くなる。また、層構造を形成するのが困難となる。２１０μｍを超えると、強度の問題はないものの、硬くティシュペーパー２ｔを引き出し難くなる。特に、最初の一枚を取り出し難くなる。さらに、またコストも高くなる。
【００５５】
シート材３０を構成する各層３０Ａ、３０Ｍ、３０Ｂの厚さについては、外側樹脂製フィルム層３０Ａについては、５〜３０μｍであるのが望ましい。
【００５６】
本発明に係るシート材３０は、内側樹脂製フィルム層３０Ｂから香料が放散されるが、この放散性を内側樹脂製フィルム層３０Ｂの厚さで調整することもできるため、その厚さの調整幅を確保するためにも外側樹脂製フィルム層３０Ａの厚さは薄いほうが望ましく、上記範囲であるのがよい。なお、５μｍ未満では強度不足となりやすく、２０μｍを超えてもガスバリア性の向上は期待できず却ってシート材全体の柔軟性を低下させるようになるおそれが高まる。
【００５７】
他方、内側樹脂製フィルム層３０Ｂについては、１０〜１００μｍが望ましく、ティシュペーパー製品１００の一般的な保管期間を考慮すると３０〜８０μｍであるのが望ましい。
【００５８】
とりわけ、外側樹脂製フィルム層３０Ａとポリエチレンテレフタレートフィルムで構成し、かつその厚みを５〜３０μｍとし、内側樹脂製フィルム層３０Ｂをポリエチレンフィルムで構成し、かつその厚みを３０〜８０μｍとすると、香料のガスバリア性、放散性、シート材の柔軟性、ティシュペーパー２ｔの引き出し性が確実にバランス良く効果的に発揮されるようになる。
【００５９】
他方、粘着剤層又は接着剤層３０Ｍの厚みは、５〜８０μｍであるのがよい。５μｍ未満であると外側、内側のフィルム層を確実に接着することができず部分剥離のおそれが高まる、また、８０μｍを超えるとシート材の柔軟性を低下させ、粘着剤・接着剤・香料の使用量が増加することによるコスト高になる。
【００６０】
粘着剤層又は接着剤層３０Ｍを形成するための粘着剤は、フィルム同士を剥離不能に接着するものであれば、特に限定されない。天然ゴム系粘着剤、天然ゴムラッテクス系粘着剤、アクリル系粘着剤、ホットメルト粘着剤等である。特に樹脂製フィルムシートの接着性に優れ、香料の溶解性・分散性にも優れることから、アクリル系粘着剤が望ましい。また、接着剤としては、ポリエステル系接着剤がフィルムとの親和性に優れ接着が確実なものとなるので望ましい。
【００６１】
粘着剤層中又は接着剤層中における香料の配合割合は、香料の種類・揮発性等により定めることができるが、継続的にほのかに香気を発し、しかもコスト高とならないようにする点から、０．５〜１５ｇ／ｍ2、特に３〜８ｇ／ｍ2であるのがよい。
【００６２】
他方、シート材３０は、粘着剤層又は接着剤層３０Ｍが、内側樹脂製フィルム層３０Ｂ、外側樹脂製フィルム層３０Ａとの間に点在的に或いはパターンをもって存在してもよいが、好ましくは内側樹脂製フィルム層３０Ｂ、外側樹脂製フィルム層３０Ａの一体性が高まる全面に介在されている態様である。粘着剤層又は接着剤層が全面に介在されていると、シート剤３０のスリット断面３１Ｃや縁部において、内側樹脂製フィルム層３０Ｂと外側樹脂製フィルム層３０Ａとが分離して、粘着剤層又は接着剤層３０Ｍが露出して香料が過度に放出されるおそれがなくなる。また、各層の一体性が高まりスリット３０でのティシュペーパー２ｔの支持性も確実なものとなる。
【００６３】
なお、本発明に係るシート材３０は、そのスリット３１の断面３１Ｃに粘着剤層又は接着剤層３０Ｍが露出する構造としてもよい。スリット３１を通るティシュペーパー２ｔに香料が付着しやすくなり、使用時に香りを感じられやすいものとなる。特に、この構造の場合には、接着剤層としたほうが引き出されるティシュペーパーに粘着性のある粘着剤が付着するおそれがないため望ましい。
【００６４】
他方、本実施形態のシート材３０は、例えば、ガスの透過性の低い外側樹脂製フィルム層３０Ａを形成するためのフィルムシートに対して、スプレー塗布装置、印刷装置、塗工装置などの香料塗布手段によって予め香料を含有させた粘着剤を塗布・塗工し、その後に、粘着剤層形成面に内側樹脂製フィルム層３０Ｂを形成するためのフィルムシートを積層して一体化する。その後に必要に応じて熱融着してもよい。さらに、カッターによってスリットを形成して、適宜裁断等してシート材とする。
【００６５】
なお、本発明に係るティシュペーパー製品１００では、上述のとおり香料が内側樹脂製フィルム層３０Ｂを通して放散させるものであるため、香料は、マイクロカプセルに封入するような態様は採らず、直接的に蒸散可能な態様で粘着剤層又は接着剤層に含有させる。
【００６６】
ここで、粘着剤層又は接着剤層３０Ｍに含有させる上記香料は、特に限定されるものではないが、具体例として、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を挙げることができる。市販品を使用することもできる。
【００６７】
他方、本発明に係るティシュペーパー束２は、方形のティシュペーパー２ｔが実質的に二つ折りされ、その折り返し片の縁が上下に隣接するティシュペーパーの折り返し内面に位置するようにして、互い違いに重なり合いつつ積層されたものである。なお、ここで実質的にとは、製造上の形成される縁部の若干の折り返しを許容する意味である。
【００６８】
この積層構造のティシュペーパー束２は、最上位に位置する一枚の折り返し片を上方に引き上げると、その直下で隣接する他の一枚の折り返し片が、摩擦により上方に引きずられて持ち上げられる。そして、かかる構造のティシュペーパー束２は、その最上面が上述の上面１１に取出し口２０Ｘを有する収納箱１の当該上面に向かいあって収納され、前記取出し口２０Ｘ、特にスリット３１から最初の一組（最上面に位置する一組）が引き出されたときに、その直近下方に位置する他の一組の一部が露出される。なお、本発明におけるティシュペーパー２ｔの積層枚数が限定されないが、この種の製品の一般的な積層枚数を例示すれば、１２０〜２４０組である。
【００６９】
このティシュペーパー束２は、マルチスタンド式、ロータリー式の既知のインターフォルダにより製造することができる。
【００７０】
他方、ティシュペーパー束２を構成するティシュペーパー２ｔは、２枚〜３枚の薄葉紙が積層されたプライ構造を有している。
【００７１】
その薄葉紙の原料パルプとしては、ＮＢＫＰとＬＢＫＰとを配合したものであり、適宜古紙パルプが配合されていてもよいが、風合いなどの点で、ＮＢＫＰとＬＢＫＰのみから構成されているのがよい。その場合配合割合としては、ＮＢＫＰ：ＬＢＫＰ＝２０：８０〜８０：２０がよく、特に、ＮＢＫＰ：ＬＢＫＰ＝３０：７０〜６０：４０が望ましい。
【００７２】
本発明に係るティシュペーパー２ｔの各プライを構成する薄葉紙１枚あたりの米坪は、好ましくは９〜２５ｇ／ｍ2、より好ましくは１０〜１５ｇ／ｍ2である。米坪が９ｇ／ｍ2未満では、柔らかさの向上の観点からは好ましいものの、使用に耐えうる十分な強度を適正に確保することが困難となる。逆に米坪が２５ｇ／ｍ2を超えると紙全体が硬くなるとともに、ゴワ付き感が生じてしまい肌触りが悪くなる。なお、米坪は、ＪＩＳ Ｐ ８１２４（１９９８）の米坪測定方法による。
【００７３】
他方、本発明に係るティシュペーパーの紙厚は、２プライの状態で１００〜１６０μｍ、より好ましくは１２０〜１４０μｍであるのが望ましい。紙厚が１００μｍ未満では、柔らかさの向上の観点からは好ましいものの、ティシュペーパーとしての強度を適正に確保することが困難となる。また、１６０μｍ超では、ティシュペーパーの肌触りが悪化するとともに、使用時にゴワツキ感が生じるようになる。
【００７４】
紙厚、シート材、フィルム層に用いるフィルム厚みの測定方法としては、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて紙厚は２プライの状態で測定し、フィルム厚みは単層の状態で測定し、シート材はシート材の状態で測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この厚みの測定時の荷重は、１２０μｍの際に約７０ｇｆである。なお、紙厚、シート材、フィルム層に用いるフィルム厚みは測定を１０回行って得られる平均値とする。
【符号の説明】
【００７５】
１００…ティシュペーパー製品、１…収納箱、２…ティシュペーパー束、２ｔ…ティシュペーパー、１０…紙箱、１１…収納箱（紙箱）上面、１１ｉ…収納箱（紙箱）上面の内側面、１２…収納箱（紙箱）底面、１２Ａ…糊代部、１３…収納箱（紙箱）長側面、１４…収納箱（紙箱）短側面、Ｆ…フラップ、
Ｌ１…収納箱の長手縁、Ｌ２…収納箱の短手縁、Ｌ３…収納箱の高さ、
２０…裂開用ミシン目線、２１…裂開用ミシン目線の長辺、２２…裂開用ミシン目線の短辺、２０ａ…取出し口形成部（裂開用ミシン目線で囲まれる範囲）、２０Ｘ…取出し口、３０…フィルムシート、３１…スリット、３１Ｃ…スリット断面、３０Ａ…外側樹脂製フィルム層、３０Ｍ…粘着剤層又は接着剤層、３０Ｂ…内側樹脂製フィルム層。
【図１】
2014005075.tif 000004
【図２】
2014005075.tif 000005
【図３】
2014005075.tif 000006
【図４】
2014005075.tif 000007
【図５】
2014005075.tif 000008
【図６】
2014005075.tif 000009